(57)【要約】【課題】折り畳み自在な荷役用パレットにおけるサイドパネルの位置決め効果を高めながら構造を簡略化する。【解決手段】左右両側部にパネル支持部２２を備えた荷支持台１、この荷支持台１の後側辺に当該荷支持台上へ折り畳み自在に立設されたバックパネル、及びこのバックパネルの左右両側辺に当該バックパネル４に重ねるように折り畳み自在に連設され且つ前記荷支持台１のパネル支持部２２で下側辺が支持されるサイドパネル２を備えた折り畳み自在な荷役用パレットであって、前記パネル支持部２２は、前記サイドパネル２の下側辺が嵌合する凹部２０を備えた支持部材２１から構成されている。【選択図】図６
2009046165.tif 000002
【特許請求の範囲】
【請求項１】
左右両側部にパネル支持部を備えた荷支持台、この荷支持台の後側辺に当該荷支持台上へ折り畳み自在に立設されたバックパネル、及びこのバックパネルの左右両側辺に当該バックパネルに重ねるように折り畳み自在に連設され且つ前記荷支持台のパネル支持部で下側辺が支持されるサイドパネルを備えた折り畳み自在な荷役用パレットであって、前記パネル支持部は、前記サイドパネルの下側辺が嵌合する凹部を備えた支持部材で構成されている、折り畳み自在な荷役用パレット。
【請求項２】
前記荷支持台は、フレーム構造体とその上に敷設されたメッシュ構造体とから構成され、フレーム構造体には、メッシュ構造体の左右両側辺から外側に張り出す前後方向枠材が設けられ、前記凹部を備えた支持部材は、前記前後方向枠材の天板部を構成する断面凹形の板材から成る、請求項１に記載の折り畳み自在な荷役用パレット。
【請求項３】
前記断面凹形の板材は、前記前後方向枠材の全長にわたって連続している、請求項２に記載の折り畳み自在な荷役用パレット。
【請求項４】
前記断面凹形の板材は、前記前後方向枠材の長さ方向複数箇所に分けて架設されている、請求項２に記載の折り畳み自在な荷役用パレット。
【請求項５】
前記荷支持台は、フレーム構造体とその上に敷設されたメッシュ構造体とから構成され、フレーム構造体には、メッシュ構造体の左右両側部における左右方向線材を支持する上側開放の溝形断面の前後方向枠材が設けられ、前記凹部を備えた支持部材は、メッシュ構造体における前記左右方向線材の前記前後方向枠材上を横断する部分の曲げ加工により構成されている、請求項１に記載の折り畳み自在な荷役用パレット。
【請求項６】
前記荷支持台には、前記パネル支持部の外側において上向きに突出する上向き突出部材が付設されている、請求項１〜５の何れか１項に記載の折り畳み自在な荷役用パレット。
【発明の詳細な説明】
【技術分野】
【０００１】
本発明は、荷支持台、この荷支持台の後側辺に当該荷支持台上へ折り畳み自在に立設されたバックパネル、及びこのバックパネルの左右両側辺に当該バックパネルに重ねるように折り畳み自在に連設されたサイドパネルを備えた折り畳み自在な荷役用パレットに関するものである。
【背景技術】
【０００２】
この種の折り畳み自在な荷役用パレットでは、特許文献１にも記載されるように、前記パネル支持部に支持されたサイドパネルの位置決めのために、当該サイドパネルの下側辺から下向きに突設した突出片を、荷支持台の左右両側部に設けられた前後方向の凹溝部、即ち、上側開放の溝形鋼内に嵌合させるように構成されていた。
【特許文献１】特開２００５−９６８２３号公報
【発明の開示】
【発明が解決しようとする課題】
【０００３】
上記のような従来の荷役用パレットの構成では、サイドパネルの下側辺から突出する突出片が変形して、折り畳まれたパレットの組立てに支障を来す恐れがあるばかりでなく、当該突出片の存在によりサイドパネルをバックパネルの外側に折り畳まなければならず、パレットの折り畳みに際し、パレットの周囲に大きな空間が必要になると共に、折り畳み作業も容易でなかった。このような問題点を解決するため、サイドパネルの下側辺は突出片を設けずにフラットにし、荷支持台の左右両側部に設けたパネル支持部でサイドパネルの下側辺を支持させると共に、当該サイドパネルが外側に開動するのを荷支持台から突設させた上向き突出部材で阻止するように構成することも考えられたが、このサイドパネルを外向きに押し開くほどに荷が収納されていない状態でパレットを段積みしたとき、サイドパネルに作用する上段パレットからの垂直荷重でサイドパネルの下側辺が荷支持台上を内側へ滑って当該サイドパネルが座屈変形する恐れがあった。
【課題を解決するための手段】
【０００４】
本発明は上記のような従来の問題点を解消し得る折り畳み自在な荷役用パレットを提供することを目的とするものであって、請求項１に記載の折り畳み自在な荷役用パレットは、後述する実施形態の参照符号を付して示すと、左右両側部にパネル支持部２２を備えた荷支持台１、この荷支持台１の後側辺に当該荷支持台上へ折り畳み自在に立設されたバックパネル４、及びこのバックパネル４の左右両側辺に当該バックパネル４に重ねるように折り畳み自在に連設され且つ前記荷支持台１のパネル支持部２２で下側辺が支持されるサイドパネル２，３を備えた折り畳み自在な荷役用パレットであって、前記パネル支持部２２は、前記サイドパネル２，３の下側辺が嵌合する凹部２０を備えた支持部材２１から構成されている。
【０００５】
上記構成の本発明を実施するについて、前記荷支持台１がフレーム構造体６とその上に敷設されたメッシュ構造体７とから構成される場合、請求項２に記載のように、フレーム構造体６にはメッシュ構造体７の左右両側辺から外側に張り出す前後方向枠材１６ａ，１６ｂを設け、前記凹部２０を備えた支持部材２１は、前記前後方向枠材１６ａ，１６ｂの天板部を構成する断面凹形の板材２４，２５ａ〜２５ｃから構成することができる。この場合、前記断面凹形の板材２４，２５ａ〜２５ｃは、請求項３に記載のように、前記前後方向枠材の全長にわたって連続するものであっても良いし、請求項４に記載のように、前記前後方向枠材の長さ方向複数箇所に分けて架設されるものであっても良い。
【０００６】
又、前記荷支持台１がフレーム構造体６とその上に敷設されたメッシュ構造体７とから構成される場合、請求項５に記載のように、フレーム構造体６にはメッシュ構造体７の左右両側部における左右方向線材１９を支持する上側開放の溝形断面の前後方向枠材１６ａ，１６ｂを設け、前記凹部２０を備えた支持部材２１は、メッシュ構造体７における前記左右方向線材１９の前記前後方向枠材１６ａ，１６ｂ上を横断する部分の曲げ加工により構成することができる。
【０００７】
更に、請求項６に記載のように、前記荷支持台１には、前記パネル支持部２２の外側において上向きに突出する上向き突出部材２６を付設することもできる。
【発明の効果】
【０００８】
上記請求項１に記載の本発明に係る折り畳み自在な荷役用パレットによれば、荷支持台側のパネル支持部に支持されているサイドパネルの下側辺そのものが、当該パネル支持部を構成する支持部材の凹部に嵌合する構成であるから、サイドパネルを持ち上げてその下側辺を前記凹部内から浮上させた状態で左右横方向にサイドパネルを移動させない限り、当該サイドパネルがバックパネルに対し直角前方向きの所定位置に確実に保持される。従って、パレットを段積みしたときにサイドパネルの下側辺が荷支持台上を横滑りして座屈変形するのを効果的に防止できる。しかも従来のように、サイドパネルの下側辺から突出片を突設する必要はなく、サイドパネルの下側辺はフラットに構成できるので、このサイドパネルを内側へ折り畳む内畳みタイプとすることができると共に、前記突出片の変形により正常な組み立てができなくなるというような不都合も生じない。
【０００９】
尚、この種の荷役用パレットでは、荷支持台がフレーム構造体とその上に敷設されたメッシュ構造体とから構成されるのが一般的であるが、この場合、請求項２〜４に記載の構成によれば、フレーム構造体の前後方向枠材を利用して本発明によるパネル支持部を簡単に構成することができる。又、請求項５に記載の構成によれば、他の部材を追加しないで、メッシュ構造体の左右方向線材の一部分を利用して本発明によるパネル支持部を構成することができる。
【００１０】
更に、請求項６に記載の構成によれば、折り畳み段積み用支持具などに活用できる上向き突出部材の併用により、サイドパネルの外側への開動を確実に防止できる。
【発明を実施するための最良の形態】
【００１１】
以下に本発明の好適実施形態を添付図に基づいて説明すると、図１及び図２において、１は平面矩形の荷支持台、２，３は荷支持台１の左右両側辺から起立するサイドパネル、４は荷支持台１の後側辺から起立するバックパネル、５は荷支持台１の前側辺から起立する開閉自在なゲートパネルである。荷支持台１は、フレーム構造体６とその上に重ねて固着されたメッシュ構造体７とから構成され、この荷支持台１の左右両側辺の前後両端近傍位置には、フレーム構造体６の底部に固着する方法で脚体８が付設されている。各脚体８の底部には、従来周知のように段積み用凹部８ａが形成されている。サイドパネル２，３は、バックパネル４の左右両側辺にコイルヒンジ９を介して当該バックパネル４の内側に重ねるように折り畳み自在に連結されている。バックパネル４は、その下端から内側に直角に折曲連設された折曲底辺部１０を備えた側面視Ｌ形のもので、その折曲底辺部１０の先端においてヒンジ１１により荷支持台１上に起伏自在に連結されている。
【００１２】
ゲートパネル５は、下側ゲート部５ａと、この下側ゲート部５ａの上辺にヒンジ１２によって前後開閉自在に連結された上側ゲート部５ｂとから成り、下側ゲート部５ｂの下辺が荷支持台１の前側辺にコイルヒンジ１３により起伏自在に連結されている。そして、垂直に起立させたゲートパネル５の下側パネル部５ａの左右両側辺上端部と上側パネル部５ｂの左右両側辺上端部とをサイドパネル２，３の前側辺に係止する４つの係止手段１４が併設されている。
【００１３】
上記構成の荷役用パレットは、図１に示す組立て状態において、各パネル２〜５で囲まれた荷支持台１上の荷収納空間内に荷を収納して、運搬や保管に利用されるものであるが、荷を取り出すときは、係止手段１４を解除して、ゲートパネル５の全体又は上側ゲートパネル部５ｂのみを手前に回倒して荷収納空間の前側を開放することができる。この組立て状態での荷役用パレットは、図２に仮想線で示すように、上段のパレットの左右両側の脚体８を下段のパレットの左右両サイドパネル２，３の上辺に、各脚体８の底部の段積み用凹部８ａを利用して嵌合させることにより、段積みすることができる。
【００１４】
使用しない荷役用パレットは、係止手段１４を解除して荷支持台１上にゲートパネル５を重ねるように折り畳み、左右両サイドパネル２，３をバックパネル４の内側に重ねるように折り畳んだ状態で当該バックパネル４を荷支持台１上に重ねるように折り畳むことにより、荷支持台１上の高さが、最上位に位置する折り畳まれたバックパネル４の垂直姿勢にある折曲底辺部１０の高さ相当まで低くすることができる。この実施形態でのパレットは、折り畳んだパレットを段積みするための折り畳み段積み用支持具１５が、荷支持台１の左右両側辺の前後２箇所に上向きに突設されているので、上段の折り畳みパレットにおける左右両側それぞれ前後一対の脚体８を、下段の折り畳みパレットにおける左右両側それぞれ前後一対の折り畳み段積み用支持具１５の上辺に、各脚体８の底部の段積み用凹部８ａを利用して嵌合させることにより、段積みすることができる。
【００１５】
上記のように使用される折り畳み自在な荷役用パレットにおいて採用した本発明に係る構成を図３〜図６に基づいて説明すると、図３に示すように、荷支持台１のフレーム構造体６は、左右一対の前後方向枠材１６ａ，１６ｂ及び前後一対の左右方向枠材１６ｂ，１６ｃから構成された周囲枠１７と、この周囲枠１７の内側、具体的には左右一対の前後方向枠材１６ａ，１６ｂどうしを略中央位置で互いに連結する補強用左右方向枠材１６ｅとから構成されている。尚、この実施形態では、前後一対の左右方向枠材１６ｂ，１６ｃは、左右一対の前後方向枠材１６ａ，１６ｂの前後両端より少し内側に入った箇所に配置され、各脚体８は、前後方向枠材１６ａ，１６ｂの下側で当該前後方向枠材１６ａ，１６ｂと左右方向枠材１６ｂ，１６ｃとの間のＴ形交叉部に溶接により固着されている。尚、この実施形態では、フレーム構造体６の左右一対の前後方向枠材１６ａ，１６ｂには溝形鋼を上側開放向きに使用し、３本の左右方向枠材１６ｃ〜１６ｅには、その上面を前後方向枠材１６ａ，１６ｂの上端レベルより一段低くした角パイプ材を使用しているが、これら左右方向枠材１６ｃ〜１６ｅも溝形鋼を上側開放向きに使用して構成することができる。要するに左右方向枠材１６ｃ〜１６ｅは、如何なる断面形状の部材で構成しても良い。勿論、周囲枠１７の内側に架設する補強用枠材の方向や本数（荷支持台１のサイズが小さいときは無くとも良い）も限定されない。
【００１６】
荷支持台１のメッシュ構造体７は、図３に示すように、左右方向に適当間隔おきに並列する多数本の前後方向線材１８と、これら前後方向線材１８の上側で前後方向に適当間隔おきに並列させた多数本の左右方向線材１９を、溶接により互いに固着して構成されたものである。このメッシュ構造体７をフレーム構造体６の上に敷設するのであるが、このとき図４及び図６に示すように、左右両端の前後方向線材１８がフレーム構造体６の左右一対の前後方向枠材１６ａ，１６ｂの内側に隣接する状態で、全ての前後方向線材１８がフレーム構造体６の各左右方向枠材１６ｃ〜１６ｅの上に当接するように構成し、フレーム構造体６の左右一対の前後方向枠材１６ａ，１６ｂがメッシュ構造体７の左右両側辺から外側に張り出すように構成している。尚、メッシュ構造体７の網目は、各前後方向線材１８と各左右方向線材１９とで形成されるが、図４に示すように、フレーム構造体６の各左右方向枠材１６ｃ〜１６ｅと重なる領域には左右方向線材１９は配置されておらず、このフレーム構造体６の各左右方向枠材１６ｃ〜１６ｅを利用してその前後両側にメッシュ構造体７の網目を形成している。
【００１７】
上記構成の荷支持台１において、メッシュ構造体７の左右両側辺から外側に張り出すフレーム構造体６における左右一対の前後方向枠材１６ａ，１６ｂの上端に、サイドパネル２，３のフラットな下側辺が嵌合する凹部２０を備えた支持部材２１が架設され、当該支持部材２１によりパネル支持部２２が構成されている。
【００１８】
図４Ａ、図５、及び図６に示す実施形態では、前記凹部２０を備えた支持部材２１は、前後方向枠材１６ａ，１６ｂの全長にわたって連続する長さを有する長尺帯状板材２３を断面凹形に成形したもので、その両側辺の水平肩部を前後方向枠材１６ａ，１６ｂの左右両側板部２４ａ，２４ｂの上端に載置して溶接により固着したものである。尚、図６に示すように、前後方向枠材１６ａ，１６ｂの上端レベルは、左右方向線材１６ｃ〜１６ｅの上端レベルよりメッシュ構造体７における前後方向線材１８の線径分だけ高いので、支持部材２１を構成する板材は、メッシュ構造体７における左右方向線材１９の線径より板厚が厚くならないようにすることにより、前記支持部材２１を荷支持台１の荷支持レベルより上方に突出させないで済む。又、支持部材２１の凹部２０には、幅方向の中央部にサイドパネル２，３の下側辺の幅より狭くない平坦面２０ａを形成しておくのが望ましい。
【００１９】
パネル支持部２２を構成する凹部２０を備えた支持部材２１は、図４Ｂに示すように、前後方向枠材１６ａ，１６ｂの長さ方向適当間隔おきに分けられた複数枚の板材２５ａ〜２５ｃから構成することもできる。各板材２５ａ〜２５ｃの断面形状と前後方向枠材１６ａ，１６ｂに対する取付け方法は、先の長尺帯状板材２３と同一である。このように構成する場合は、図４Ｂに示すように、少なくとも前後２つの脚体８と平面視において重なる前後２箇所には板材２５ａ，２５ｂを配設するのが望ましい。その理由は、組み立てられたパレットを、上段パレットの各脚体８を下段パレットの左右両サイドパネル２，３の上側辺の前後２箇所に嵌合させるように段積みしたとき、左右両サイドパネル２，３は、平面視において前後２つの脚体８と重なる前後２箇所において上段パレットの荷重を直接受けることになるから、そのサイドパネル２，３の前後２箇所をパネル支持部２２の支持部材２１（板材２５ａ，２５ｂ）で支持させることにより、上段パレットからの荷重を、パネル支持部２２から前後方向枠材１６ａ，１６ｂを経由させて各脚体８に効率よく伝達することができるからである。
【００２０】
図７に示すように、フレーム構造体６の前後方向枠材１６ａ，１６ｂが下側開放向きに使用した溝形鋼で構成されるときは、その長さ方向全長にわたって連続する天板部を構成する長尺帯状板２４そのものを断面凹形に成形して凹部２０を備えた支持部材２１とし、当該支持部材２１でパネル支持部２２を構成することができる。又、図８に示すように、帯状板材（鋼板）を角パイプ状に成形して前後方向枠材１６ａ，１６ｂを構成するときは、その成形時に、天板部相当箇所を構成する長尺帯状板２４を断面凹形に成形して凹部２０を備えた支持部材２１とし、当該支持部材２１でパネル支持部２２を構成することもできる。更に、既製品の角パイプ材を使用して前後方向枠材１６ａ，１６ｂを構成するときは、図９に示すように、その天板部相当箇所を構成する長尺帯状板２４を断面凹形に成形して凹部２０を備えた支持部材２１とすることができるが、この場合、角パイプ材の断面形状が上窄まりに変形するのを避けるために、図示のように底板部相当箇所も上下対称の断面凹形に成形することができる。
【００２１】
以上の実施形態では、荷支持台１のフレーム構造体６の左右両側部（前後方向枠材１６ａ，１６ｂ）をメッシュ構造体７から外側に張り出させてパネル支持部２２を構成したが、図１０に示すように、メッシュ構造体７がフレーム構造体６の前後方向枠材１６ａ，１６ｂ上に被さる構造の荷支持台１にも、本発明を適用実施することができる。この場合には、上側開放の溝形鋼から成るフレーム構造体６の前後方向枠材１６ａ，１６ｂ上にメッシュ構造体７の各左右方向線材１９の両端部が横断載置されるように構成し、当該各左右方向線材１９の前後方向枠材１６ａ，１６ｂ上を横断する両端部を、前後方向枠材１６ａ，１６ｂ内に凹入する凹形に曲げ加工して、パネル支持部２２を構成する支持部材２１とすれば良い。このとき、メッシュ構造体７の左右両端の前後方向線材１８とその内側２番目の前後方向線材１８とが、前後方向枠材１６ａ，１６ｂを挟むように構成するのが望ましい。
【００２２】
尚、前記折り畳み段積み用支持具１５は、図４〜図６に示すように、脚体８の前後方向の幅よりも幅広のもので、線材（丸棒鋼）の曲げ加工により構成された上向き突出部材２６から成り、折り畳まれたパレットを段積みしたときに、上段パレットの各脚体８の底部の段積み用凹部８ａを嵌合させることができる高さに位置する上側縁２６ａと、この上側縁２６ａの一端に位置して、支持する上段パレットの前後方向の移動を阻止する突起部２６ｂを備えている。勿論、この上向き突出部材２６（折り畳み段積み用支持具１５）は、板材などから構成することもできるものであるが、折り畳み状態での段積みの必要がないパレットでは、この折り畳み段積み用支持具１５は無くすことができる。しかし、この折り畳み段積み用支持具１５を構成する上向き突出部材２６は、折り畳み状態での段積みにのみ役立っているのではなく、ゲートパネル５を開放したときにサイドパネル２，３が外側に開動するのを阻止する機能としては、パネル支持部２２を構成する断面凹形の支持部材２１よりも効果が大きいので、折り畳み段積み用支持具１５が不要なパレットにおいても、図７及び図８に仮想線で示すように、折り畳み段積み用支持具としての機能を持たない、任意形状、任意サイズの上向き突出部材２６をパネル支持部２２の外側で前後方向の適当箇所に付設することができる。
【図面の簡単な説明】
【００２３】
【図１】折り畳み自在な荷役用パレットの全体を示す斜視図である。
【図２】同上パレットの概略縦断側面図である。
【図３】Ａ図は同上パレットの荷支持台を構成するメッシュ構造体の平面図、Ｂ図は同フレーム構造体の平面図である。
【図４】Ａ図は荷支持台の左側辺部を示す平面図、Ｂ図はその一部変形例を示す平面図である。
【図５】図４Ａの要部の拡大側面図である。
【図６】図４の要部の拡大縦断正面図である。
【図７】第二実施形態を示す要部の正面図である。
【図８】第三実施形態を示す要部の正面図である。
【図９】第四実施形態を示す要部の正面図である。
【図１０】第五実施形態を示す要部の縦断正面図である。
【符号の説明】
【００２４】
１    荷支持台
２，３    サイドパネル
４    バックパネル
５    ゲートパネル
６    荷支持台のフレーム構造体
７    荷支持台のメッシュ構造体
８    脚体
９，１１〜１３    ヒンジ
１０    バックパネルの折曲底辺部
１４    係止手段
１５    折り畳み段積み用支持具
１６ａ，１６ｂ    フレーム構造体の前後方向枠材
１６ｃ〜１６ｅ    フレーム構造体の左右方向枠材
１７    フレーム構造体の周囲枠
１８    メッシュ構造体の前後方向線材
１９    メッシュ構造体の左右方向線材
２０    パネル支持用凹部
２１    支持部材
２２    パネル支持部
２４    長尺帯状板（支持部材）
２５ａ〜２５ｃ    板材（支持部材）
２６    上向き突出部材
【図１】
2009046165.tif 000003
【図２】
2009046165.tif 000004
【図３】
2009046165.tif 000005
【図４】
2009046165.tif 000006
【図５】
2009046165.tif 000007
【図６】
2009046165.tif 000008
【図７】
2009046165.tif 000009
【図８】
2009046165.tif 000010
【図９】
2009046165.tif 000011
【図１０】
2009046165.tif 000012